(57)【要約】【課題】既に始まっているテレビ番組を録画したいとユーザが考えた場合でも、該テレビ番組を最初から録画することができる録画装置を提供する。【解決手段】ＨＤ装置１２は、選択されているチャンネルのテレビ番組をＨＤ１２０に録画するとともに再生する。そして、録画中のテレビ番組の放送が終了した時、ＨＤ装置１２は、録画されたテレビ番組をＨＤ１２０から消去する。ここで、該テレビ番組の再生中に該テレビ番組を録画したいと考えた場合、ユーザは、指定キーを操作する。この結果、録画中のテレビ番組の放送が終了した時、制御部１０は、指定キーで操作されたテレビ番組の消去を禁止して、そのテレビ番組をＨＤ１２０に残す。これにより、既に始まっているテレビ番組を録画したいとユーザが考えた場合でも、該テレビ番組を最初から録画することができる。【選択図】  図４
2008289057.tif 000002
【特許請求の範囲】
【請求項１】
放送局から伝送されてきたデータストリームを受信して、該データストリームの各チャンネルで放送されている複数のテレビ番組と、それら複数のテレビ番組の各放送時間を示す時間情報と、を受付ける受信手段を備える録画装置において、
前記受信手段で受信されている前記データストリームから、選択されているチャンネルのテレビ番組を抽出して、メディアに録画するとともに再生する録画再生手段と、
前記録画再生手段によって録画中のテレビ番組の放送が終了すると、又は、チャンネルの切替えが指示されると、前記受信手段で受信された前記時間情報に基づいて、前記録画再生手段によって録画された前記テレビ番組を前記メディアから消去する記憶管理手段と、
前記録画再生手段による前記テレビ番組の前記メディアへの録画中に操作して、前記メディアに残すテレビ番組を指定するための指定キーを有する操作手段と、を備え、
前記記憶管理手段は、前記指定キーで操作された前記テレビ番組の消去を禁止して、そのテレビ番組を前記メディアに残す録画装置。
【請求項２】
前記受信手段で受信された前記時間情報に基づいて、前記録画再生手段により行われる前記テレビ番組の録画の進捗状況を表示する表示手段を備える請求項１に記載の録画装置。
【請求項３】
前記記憶管理手段は、前記録画再生手段によって録画された前記テレビ番組の消去方法として、前記メディア上における前記テレビ番組の記憶位置を示す管理情報を前記メディアから消去する請求項１又は２に記載の録画装置。
【請求項４】
前記データストリームは、ＭＰＥＧ２規格で定められているトランスポートストリームであり、
前記メディアは、ハードディスク又は光ディスクである請求項１から３のいずれかに記載の録画装置。
【発明の詳細な説明】
【技術分野】
【０００１】
本発明は、放送局から伝送されてきたデータストリームを受信して、選択されているチャンネルのテレビ番組をメディアに録画する録画装置に関するものである。
【背景技術】
【０００２】
従来より、放送されているテレビ番組をメディアに録画したり、メディアに録画したテレビ番組を再生したりする録画装置が提案されている。ここで、メディアは、例えばハードディスク（以下、ＨＤと称する）である。
【０００３】
ユーザは、この録画装置において、例えば数時間後に放送される所望のテレビ番組を録画予約する。すると、録画装置は、予約された時間に放送されるテレビ番組をメディアに録画する。録画完了後、ユーザは、この録画装置において、メディアに録画したテレビ番組を再生する。一方、テレビ番組の視聴中に該テレビ番組を録画したいと考えた場合、ユーザは、録画キーを操作して該テレビ番組の録画を録画装置に指示する。この指示を受け、録画装置は、メディアに対する該テレビ番組の録画を開始する。
なお、特許文献１では、映像記録システムが提案されている。
【特許文献１】特開２００３−３２４６７５公報
【発明の開示】
【発明が解決しようとする課題】
【０００４】
しかしながら、ユーザが録画を指示した地点においてテレビ番組が既に始まっている場合、上記テレビ番組は、テレビ番組の途中からしか録画できない。このような場合に該テレビ番組の最初から該テレビ番組を録画するためには、該テレビ番組の再放送を待つしかないという問題があった。
【０００５】
本発明はこのような従来の課題を解決しようとするものであり、既に始まっているテレビ番組を録画したいとユーザが考えた場合でも、該テレビ番組を最初から録画することができる録画装置を提供することを目的とする。
【課題を解決するための手段】
【０００６】
本発明の録画装置は、前記課題を解決するために以下の構成を備えている。
【０００７】
（１）放送局から伝送されてきたデータストリームを受信して、該データストリームの各チャンネルで放送されている複数のテレビ番組と、それら複数のテレビ番組の各放送時間を示す時間情報と、を受付ける受信手段を備える録画装置において、
前記受信手段で受信されている前記データストリームから、選択されているチャンネルのテレビ番組を抽出して、メディアに録画するとともに再生する録画再生手段と、
前記録画再生手段によって録画中のテレビ番組の放送が終了すると、又は、チャンネルの切替えが指示されると、前記受信手段で受信された前記時間情報に基づいて、前記録画再生手段によって録画された前記テレビ番組を前記メディアから消去する記憶管理手段と、
前記録画再生手段による前記テレビ番組の前記メディアへの録画中に操作して、前記メディアに残すテレビ番組を指定するための指定キーを有する操作手段と、を備え、
前記記憶管理手段は、前記指定キーで操作された前記テレビ番組の消去を禁止して、そのテレビ番組を前記メディアに残す。
【０００８】
この構成において、録画再生手段は、テレビ番組の視聴中に該テレビ番組を録画したいとユーザが急遽考える場合に備えて、該テレビ番組を予め録画していく。また、この録画とともに、録画再生手段は、該テレビ番組を再生する。この再生中に、ユーザが、テレビ番組のメディアへの録画中に指定キーを操作して、メディアに残すテレビ番組を指定する。
そして、指定キーが操作されることなく、録画中のテレビ番組の放送が終了すると、又はチャンネルの切替えが指示されると、録画再生手段は、録画したテレビ番組が不要であったとみなして、消去する。この理由は、ユーザが録画したいと考えていない不要なテレビ番組で、メディアの残り容量が無くなるのを防止するためである。
【０００９】
一方、ユーザは、テレビ番組の視聴中に該テレビ番組を録画したいと考えた場合、指定キーを操作する。この結果、録画中のテレビ番組の放送が終了した時、チャンネルの切替えが指示された時、記憶管理手段は、指定キーで操作されたテレビ番組の消去を禁止して、そのテレビ番組をメディアに残す。これにより、既に始まっているテレビ番組を録画したいとユーザが考えた場合でも、該テレビ番組を最初から録画することができる。
【００１０】
（２）前記受信手段で受信された前記時間情報に基づいて、前記録画再生手段により行われる前記テレビ番組の録画の進捗状況を表示する表示手段を備える。
【００１１】
この構成により、ユーザは、テレビ番組の録画の進捗状況を表示手段において確認できる。
【００１２】
（３）前記記憶管理手段は、前記録画再生手段によって録画された前記テレビ番組の消去方法として、前記メディア上における前記テレビ番組の記憶位置を示す管理情報を前記メディアから消去する。
【００１３】
この構成における消去は、所謂論理フォーマットに相当し、テレビ番組の映像音声データそのものを消去するのでなく、テレビ番組の管理情報を消去するだけである。そのため、消去に要する時間が短い。これにより、記憶管理手段が行う消去処理を軽くできる。
【００１４】
（４）前記データストリームは、ＭＰＥＧ２規格で定められているトランスポートストリームであり、
前記メディアは、ハードディスク又は光ディスクである。
【００１５】
この構成において、光ディスクは、例えばＤＶＤ、ブルーレイディスクである。
【発明の効果】
【００１６】
この発明によれば、既に始まっているテレビ番組を録画したいとユーザが考えた場合でも、該テレビ番組を最初から録画することができる。
【発明を実施するための最良の形態】
【００１７】
以下、本発明の実施形態であるＨＤレコーダについて説明する。
【００１８】
図１は、本発明の実施形態であるＨＤレコーダの主要部の構成を示すブロック図である。ＨＤレコーダ１００は、外部に、ディジタルＴＶ（television）受像機などのＴＶ２００を接続している。ＴＶ２００は、さらに、音声を放音する不図示のスピーカを備える。
ＨＤレコーダ１００は、該装置の各部を集中的に制御・監視するための図示のないマイクロコンピュータなどから構成される制御部１０と、アンテナを介してデータストリームを受信するチューナ１１と、ハードディスク装置１２と、復調部１４と、デコーダ１７と、セレクタ１８と、ＯＳＤ（on screen display）画像生成回路１９と、操作部２２と、を備える。
なお、ハードディスク１２０が、本発明の「メディア」に相当する。また、チューナ１１が、本発明の「受信手段」に相当する。また、復調部１４、ＨＤ装置１２、デコーダ１７が、本発明の「録画再生手段」に相当する。また、制御部１０、ＨＤ装置１２が、本発明の「記憶管理手段」に相当する。また、ＴＶ２００が、本発明の「表示手段」に相当する。
【００１９】
制御部１０は、装置本体各部の動作を制御する制御方法が記述された制御プログラムを記憶するROM１０Ａと、その制御プログラムで処理されるデータを展開するためのワークフィールドとしてのRAM１０Bと、を有する。
【００２０】
ハードディスク装置１２は、制御部１０の制御の下に、動作モード（録画再生モード・再生モードなど）を切替える。ハードディスク装置１２の動作モードを制御するための指示は、ユーザが操作部２２を操作して与える。ここで、録画再生モードは、映像音声データをハードディスク１２０に録画しながら再生するモードであり、所謂追っかけ再生（別名タイムシフト再生）を実行するためのモードである。
【００２１】
操作部２２は、ＨＤレコーダ１００の前面などに設けられてユーザが操作して指示を与えるための複数種類のキーを有する。操作部２２は、ユーザにより操作されたキーに応じた操作信号（コマンド）を制御部１０に伝送する。
複数種類のキーには、所望のチャンネルを選択するためのチャンネルキーと、テレビ番組のハードディスク１２０への録画中に操作して、ハードディスク１２０に残すテレビ番組を指定するための指定キーと、装置本体の電源オンとオフを切替える電源キーと、録画再生モードと再生モードとを切り替える切替キーと、が含まれる。
なお、この実施形態では、操作部２２はＨＤレコーダ１００の筐体前面に設けられているが、別体のリモートコントローラの操作面に設けられていてもよい。
【００２２】
以下、録画再生モード時の動作について説明する。
チューナ１１は、放送局から伝送されてきた放送信号であるデータストリームを、アンテナを介して受信する。このデータストリームは、ＭＰＥＧ２規格で定められる複数のトランスポートストリームから成る。チューナ１１は、そのデータストリームから、制御部１０から指示されるチャンネルに対応する受信周波数（即ち物理チャンネル）で放送される放送信号を抽出し、復調部１４に出力する。ここで、チャンネルは、ユーザが操作部２２のチャンネルキーでチャンネルの選択操作をして、その選択情報が制御部１０に伝送されることにより指示される。
【００２３】
復調部１４は、入力された放送信号を復調・誤り訂正して、トランスポートストリームを取得する。
図２は、トランスポートストリームのデータ構造を示す図である。トランスポートストリーム（TS）とは、TSパケット（１８８バイト固定長）が連続した信号列であり、図２に示すように、複数のテレビ番組が時分割多重化されている。TSパケットのヘッダ（４バイト固定長）には、該TSパケットの種類を示すパケット識別子（PID）が含まれている。このPIDにより、TSパケットがTSの中に混在していても、復調部１４は、そのTSパケットがどのテレビ番組の映像か音声かを識別することができる。
【００２４】
復調部１４は、このトランスポートストリームから、制御部１０から指示されるチャンネルに対応する（即ち論理チャンネルの）ＴＳパケットを抽出するとともに、PSI（Program  Specification  Information）／SI（Service  Information）を抽出する。最後に、復調部１４は、ＴＳパケットから映像音声データ（テレビ番組）を取り出してハードディスク装置１２に出力する。また、復調部１４は、PSI／SIを制御部１０に出力する。制御部１０は、PSI／SIをＲＡＭ１０Ｂ上に展開しておく。ここで、PSI／SIは、放送されるテレビ番組に関する情報である。PSIには、複数のテレビ番組の各放送時間を示す時間情報が含まれる。
【００２５】
ハードディスク装置１２は、データを記憶するハードディスク１２０と、ハードディスク１２０にデータを記録する記録ヘッド１２Ｗと、ハードディスク１２０からデータを読取る読取ヘッド１２Ｒと、を有する。
ここで、復調部１４とハードディスク装置１２との間に、バッファメモリ７を設けておく。この場合、復調部１４から出力された映像音声データは、バッファメモリ７において一時格納された後、順次読出されて、ハードディスク装置１２に入力する。また、ハードディスク装置１２とデコーダ１７との間に、バッファメモリ６を設けておく。この場合、ハードディスク装置１２から出力された映像音声データは、バッファメモリ６において一時格納された後、順次読出されてデコーダ１７に入力する。これにより、録画中に録画が停止したり、再生中に再生が途切れることを防止できる。
【００２６】
ハードディスク装置１２は、制御部１０の制御の下に、入力された映像音声データをハードディスク１２０に記録ヘッド１２Ｗにより録画する。
【００２７】
以下、録画再生モード時の動作について引き続き説明するとともに、再生モード時の動作についてここから説明する。再生モード時の動作は、録画せずに再生だけであるためである。
【００２８】
ハードディスク装置１２は、ハードディスク１２０から映像音声データを読取ヘッド１２Ｒにより読取って、デコーダ１７に出力する。
【００２９】
デコーダ１７は、映像音声データが入力されると、その映像データを（例えばＭＰＥＧ（motion picture experts group）で）デコードし、セレクタ１８に出力する。デコーダ１７は、その音声データをデコードし、セレクタ１８に出力する。
【００３０】
ＯＳＤ画像生成回路１９は、制御部１０から入力されるデータに基づいて、ＯＳＤ画像を示すＯＳＤ画像データを生成する。そして、ＯＳＤ画像生成回路１９は、ＯＳＤ画像データをセレクタ１８に出力する。
【００３１】
セレクタ１８は、ＯＳＤ画像データおよび映像データを入力して、制御部１０の制御のもとにいずれかを選択的に受取りＴＶ２００に出力する。または、セレクタ１８は、制御部１０の制御のもとに、ＯＳＤ画像データと映像音声データ中の映像データとを合成してＴＶ２００に出力する。さらに、セレクタ１８は、映像音声データ中の音声データも、ＴＶ２００に出力する。
【００３２】
これにより、ＴＶ２００は、与えられる映像データに基づく画面、与えられる合成画像信号に基づく画面、または与えられるＯＳＤ画像データに基づくＯＳＤのみの画面を出力する。さらに、音声信号も、ＴＶ２００に設けられているスピーカで処理され、音声がそのスピーカから出力される。この結果、ユーザは、このＴＶ２００において、テレビ番組を視聴する。
【００３３】
図３は、本発明の実施形態であるＨＤレコーダの制御部が録画再生モード時に行う動作を示すフローチャートである。この動作は、ユーザが装置本体の電源をオンした時、または、ユーザが他のモードから録画再生モードに切替えた時の動作である。
【００３４】
まず、制御部１０は、選択されているチャンネルのテレビ番組を復調部１４に抽出させて、ＨＤ１２０に対するテレビ番組の録画を開始する（Ｓ１）。さらに、制御部１０は、Ｓ１でＨＤ１２０に録画される該テレビ番組の再生を開始する（Ｓ２）。この結果、ＨＤ装置１２は、選択されているチャンネルのテレビ番組をＨＤ１２０に録画するとともに再生する。即ち、追っかけ再生が開始する。ここで、Ｓ１では、テレビ番組の視聴中に該テレビ番組を録画したいとユーザが急遽考える場合に備えて、該テレビ番組を予め録画している。
【００３５】
制御部１０は、ＲＡＭ１０Ｂ上に展開しているＰＳＩ／ＳＩに基づいて、上記時間情報を調査する（Ｓ３）。
【００３６】
図４は、ＴＶ２００で表示される進捗状況の一例を示す図である。図４には、ＴＶ２００の画面全体に追っかけ再生中のテレビ番組と、ＴＶ２００の画面下部に進捗状況と、が表示されている。
そして、制御部１０は、時間情報に基づいて、ＨＤ装置１２により行われるテレビ番組の録画の進捗状況をＴＶ２００においてＯＳＤ表示する（Ｓ４）。ここで、制御部１０は、時間情報により、録画中のテレビ番組の放送開始時間と放送終了時間とを把握する。これにより、制御部１０は、図４のようなＯＳＤ画像を示すＯＳＤ画像データをＯＳＤ画像生成回路１９に作成させる。
【００３７】
そして、追っかけ再生中、制御部１０は、録画中のテレビ番組の放送が終了したかどうか（Ｓ５）、チャンネルの切替えがチャンネルキーにより指示されたかどうか（Ｓ６）、を判断する。ここで、Ｓ５の判断は、時間情報に基づいて行われる。
ここで、Ｓ５及びＳ６では、ユーザが、テレビ番組のＨＤ１２０への録画中に指定キーを操作して、ＨＤ１２０に残すテレビ番組を指定できる状態となっている。
【００３８】
そして、録画中のテレビ番組の放送が終了すると（Ｓ５）、指定キーの押下が無かった場合（Ｓ７）、制御部１０は、時間情報に基づいて、ＨＤ装置１２によって録画されたテレビ番組をＨＤ１２０から消去する（Ｓ８）。そして、制御部１０は、Ｓ１に戻り処理を継続する。即ち、制御部１０は、次に放送されるテレビ番組を追っかけ再生する。
【００３９】
一方、チャンネルの切替えが指示されると（Ｓ６）、指定キーの押下が無かった場合（Ｓ９）、制御部１０は、時間情報に基づいて、ＨＤ装置１２によって録画されたテレビ番組をＨＤ１２０から消去する（Ｓ１０）。そして、制御部１０は、チャンネルの切替えを実行し（Ｓ１１）、Ｓ１に戻り処理を継続する。即ち、制御部１０は、新たに選択されたチャンネルのテレビ番組を追っかけ再生する。
【００４０】
以上のように、録画再生モードでは、録画しつつ再生するが、テレビ番組の放送が終了すると、又はチャンネルの切替えが指示されると、指定キーの押下が無かった場合、Ｓ８及びＳ１０において該テレビ番組が消去される。そして、次に放送されるテレビ番組が追っかけ再生され、又は新たに選択されたチャンネルのテレビ番組が追っかけ再生される。このようにして、本処理が繰り返される。ここで、Ｓ８及びＳ１０を設けた理由は、ユーザが録画したいと考えていないテレビ番組でＨＤ１２０の容量を無駄にしないためである。Ｓ１では、テレビ番組の視聴中に該テレビ番組を録画したいとユーザが急遽考える場合に備えて、テレビ番組を予め録画しているため、Ｓ８及びＳ１０で不要なテレビ番組を消去しない場合、ＨＤ１２０の容量が不要なテレビ番組で直ぐに一杯になる。
なお、Ｓ８及びＳ１０で行われる消去は、所謂論理フォーマットに相当し、テレビ番組の映像音声データそのものを消去するのでなく、テレビ番組の管理情報を消去するだけである。管理情報は、例えばＨＤ１２０上におけるテレビ番組の記憶位置を示すアドレスである。そのため、消去に要する時間は短い。これにより、ＨＤ装置１２が行う消去処理を軽くできる。
また、テレビ番組のＨＤ１２０への録画中に電源オフが指示された場合も、制御部１０は、Ｓ９の判断及びＳ１０の処理を行う。そして、Ｓ９の判断及びＳ１０の処理の後、制御部１０は、装置本体の電源をオフする。
【００４１】
一方、ユーザは、テレビ番組の視聴中に該テレビ番組を録画したいと考えた場合、指定キーを操作する。この結果、録画中のテレビ番組の放送が終了した時（Ｓ５）、チャンネルの切替えが指示された時（Ｓ６）、制御部１０は、指定キーで操作されたテレビ番組の消去を禁止して（Ｓ７判断肯定またはＳ９判断肯定）、そのテレビ番組をＨＤ１２０に残す。これにより、既に始まっているテレビ番組を録画したいとユーザが考えた場合でも、該テレビ番組を最初から録画することができる。
また、ユーザは、図４に示す、テレビ番組の録画の進捗状況をＴＶ２００において確認できる。
なお、ユーザは、録画再生モードから再生モードに、切替キーで切替える。これにより、録画再生モードが無効になり、録画したテレビ番組を最初から再生することができる。
【図面の簡単な説明】
【００４２】
【図１】本発明の実施形態であるＨＤレコーダの主要部の構成を示すブロック図
【図２】トランスポートストリームのデータ構造を示す図
【図３】本発明の実施形態であるＨＤレコーダの制御部が録画再生モード時に行う動作を示すフローチャート
【図４】ＴＶ２００で表示される進捗状況の一例を示す図
【符号の説明】
【００４３】
６−バッファメモリ
７−バッファメモリ
１０−制御部
１１−チューナ
１２−ハードディスク装置
１４−復調部
１７−デコーダ
１８−セレクタ
１９−画像生成回路
２２−操作部
１００−ハードディスクレコーダ
１２０−ハードディスク
２００−ＴＶ
【図１】
2008289057.tif 000003
【図２】
2008289057.tif 000004
【図３】
2008289057.tif 000005
【図４】
2008289057.tif 000006